(57)【要約】【課題】従来の段ボール包装材の結合構造の場合、差し込み穴部は差し込み爪部より周囲を大きくしないと爪部を穴部に差し込むことができないため、必然的に爪部と穴部に間に隙間が生じる。このため段ボール包装材１は段ボール包装材２に対してＸ方向、Ｙ方向に隙間分だけ移動可能となりガタが発生する。段ボール包装材２に対して段ボール包装材１を正確に位置決めしたい場合、このガタのため不具合が発生していた。【解決手段】段ボール包装材どうしを結合するために、一方の段ボール包装材に差し込み爪部を有し、他方の段ボール包装材に差し込み用穴部を有した構成において、差し込み穴部の周囲にスリットと折部を設ける構成にしかつ差し込み爪部を差し込み穴部に差し込んだとき、差し込み爪部によりスリット部が折部を起点として差し込み側に屈曲し、差し込み爪部を側面側から付勢するように構成した。また、上述の構成において、スリット部と折部を段ボール包装材面の縦方向と横方向に設けた構成にした。【選択図】図３
2020055580.tif 000002
【特許請求の範囲】
【請求項１】
段ボール包装材どうしを結合するために、一方の段ボール包装材に差し込み爪部を有し、他方の段ボール包装材に差し込み穴部を有した構成において、
前記差し込み穴部の周囲にスリットと折部を設ける構成にしかつ前記差し込み爪部を前記差し込み穴部に差し込んだとき、前記差し込み爪部によりスリット部が折部を起点として差し込み側に屈曲し、前記差し込み爪部を側面側から付勢するように構成したことを特徴とする段ボール包装材の結合構造。
【請求項２】
前記スリット部と折部を段ボール包装材面の縦方向と横方向に設けたことを特徴とする請求項１に記載の段ボール包装材の結合構造。
【発明の詳細な説明】
【技術分野】
【０００１】
本発明は、段ボール包装材どうしを結合する構造に関し、特に段ボール包装材に差し込み爪部を有し、もう一方の段ボール包装材に差し込み穴部を有した構成において、爪部を穴部に差し込んだとき、段ボール包装材どうしがガタなく結合することに関する。
【背景技術】
【０００２】
従来、段ボール包装材どうしを結合する場合、段ボール包装材に差し込み爪部を有し、もう一方の段ボール包装材に差し込み穴部を有し、爪部を穴部に差し込む構成になっている（特許文献１参照）。
【０００３】
図５は、従来の段ボール包装材どうしの結合の構成で、段ボール包装材の差し込み爪部をもう一つの段ボール包装材の差し込み穴部に差し込む直前の斜視図である。
【０００４】
段ボール包装材１には差し込み爪部１１（２箇所）が構成されており、段ボール包装材２には差し込み穴部２１（２箇所）が構成されている。
【０００５】
差し込み穴部２１の両端側にスリット２１ａが形成され、差し込み爪部１１を差し込んだとき、スリット２１ａと爪部のスリット係合部１１ａが係合することで、包装材１が包装材２から外れない構成になっている。
【０００６】
図６は、従来の差し込み穴部に差し込み爪部を差し込んだ状態のＸ方向の断面図（図中
ＣＣ断面図）とＹ方向の断面図（図中  ＤＤ断面図）である。
【０００７】
ＣＣ断面図では、差し込み穴部２１は差し込み用爪部１１の厚みよりも大きく設定しているため、穴部２１と爪部１１の間で隙間３１が生じる状態になっている。
【０００８】
ＤＤ断面図では、差し込み穴部２１の長さは、差し込み爪部１１の長さより大きく設定しているため隙間３２が生じる状態になっている。
【先行技術文献】
【特許文献】
【０００９】
【特許文献１】特開２００４−０５９０２６号公報
【発明の概要】
【発明が解決しようとする課題】
【００１０】
しかしながら、上述のような段ボール包装材の結合構造の場合、差し込み穴部は、差し込み爪部より周囲を大きくしないと爪部を穴部に差し込むことができないため、必然的に上述のような爪部と穴部の間に隙間が生じる。
【００１１】
このため段ボール包装材１は段ボール包装材２に対してＸ方向、Ｙ方向に隙間分だけ移動可能となりガタが発生する。
【００１２】
段ボール包装材２に対して段ボール包装材１を正確に位置決めしたい場合、このガタのため問題が発生していた。
【課題を解決するための手段】
【００１３】
上記の課題を解決するために、本発明に係る段ボール包装材の結合構造は、
段ボール包装材どうしを結合するために、一方の段ボール包装材に差し込み爪部を有し、他方の段ボール包装材に差し込み穴部を有した構成において、差し込み穴部の周囲にスリットと折部を設ける構成にしかつ差し込み爪部を差し込み穴部に差し込んだとき、差し込み爪部によりスリット部が折部を起点として差し込み側に屈曲し、差し込み爪部を側面側から付勢するように構成した。
【００１４】
また、上述の構成において、スリット部と折部を段ボール包装材面の縦方向と横方向に設けた構成にした。
【発明の効果】
【００１５】
本発明に係る段ボール包装材の結合構造によれば、差し込み穴部の周囲にスリットと折部を設ける構成にすることにより差し込み爪部を差し込み穴部に差し込ことでガタ取りができる。
【００１６】
また、差し込み時に差し込み爪部を差し込み穴部に対して大きくしてもガタを生じないので、差し込みやすくなり良好な組立性を実現できる。
【００１７】
また、部品追加をすることなく性能向上をはかることができる。
【図面の簡単な説明】
【００１８】
【図１】本発明の実施例である段ボール包装材の差し込み爪部をもう一つの段ボール包装材の差し込み穴部に差し込む直前の斜視図である。
【図２】本発明の実施例である段ボール包装材の差し込み穴部に差し込み爪部が差し込まれた後の状態を示す斜視図である。
【図３】本発明の実施例である差し込み穴部に差し込み爪部を差し込んだ状態のＸ方向の断面図とＹ方向の断面図である。
【図４】本発明の利用例を示した斜視図である。
【図５】従来の段ボール包装材の差し込み爪部をもう一つの段ボール包装材の差し込み穴部に差し込む直前の斜視図である。
【図６】従来の差し込み穴部に差し込み爪部を差し込んだ状態のＸ方向の断面図とＹ方向の断面図である。
【発明を実施するための形態】
【００１９】
以下、本発明を実施するための形態について、図面を参照しながら説明する。
【実施例】
【００２０】
図１は本発明の実施例である段ボール包装材の差し込み穴部にもう一つの段ボール包装材の差し込み爪部を差し込む直前の斜視図である。
【００２１】
段ボール包装材１には差し込み爪部１１（２箇所）が構成されており、段ボール包装材２には差し込み穴部２１（２箇所）が構成されている。
【００２２】
差し込み穴部２１の両端側には従来例と同様にスリット２１ａが形成され、さらに本発明の特徴である折部２２（Ｘ方向規制）、折部２３（Ｙ方向規制）が形成されている。
【００２３】
折部２２は、スリット２２ａと折線２２ｂ（ミシン目）で形成されており、折部２３は、スリット２３ａと折線２３ｂ（ミシン目）で形成されている。
【００２４】
従来と同様に差し込み爪部を差し込んだとき、スリット２１ａと差し込み爪部のスリット係合部１１ａが係合することで、包装材１が包装材２から外れない構成になっている。
【００２５】
図２は本発明の実施例である段ボール包装材の差し込み穴部に差し込み爪部が差し込まれた後の状態を示す斜視図である。
【００２６】
差し込み爪部１１が差し込み穴部２１に差し込まれると上述の折部２２が折線２２ｂを基準にＡ方向に屈曲し、同様に、上述の折部２３が折線２３ｂを基準にＢ方向に屈曲する。
【００２７】
図３は本発明の実施例である差し込み穴部に差し込み爪部を差し込んだ状態のＸ方向の断面図とＹ方向の断面図である。
【００２８】
ＡＡ断面図では、図２で示すように屈曲した折部２２が差し込み爪部１１をＣ方向（２箇所）に付勢した状態になっている。上記の状態で差し込み爪部１１と差し込み穴部２１の間で発生するガタを吸収することができるので段ボール包装材１は段ボール包装材２に対しＸ方向で正確な位置で固定可能となる。
【００２９】
ＢＢ断面図では、図２で示すように屈曲した折部２３が差し込み爪部１１をＤ方向（２箇所）に付勢した状態になっている。上記の状態で差し込み爪部１１と差し込み穴部２１の間で発生するガタを吸収することができるので段ボール包装材１は段ボール包装材２に対してＹ方向で正確な位置で固定可能となる。
【００３０】
図４は本発明の利用例を示した斜視図である。
【００３１】
段ボール包装材４は差し込み爪部４１を有しており、段ボール包装材５の差し込み穴部５１に差し込んで固定される。このとき、差し込み穴部５１は、本提案のスリット部と折部を有しており、差し込んだ状態で正確に位置が決まるようになっている。
【００３２】
段ボール包装材４には案内穴４２、段ボール包装材５には案内穴５２が設けられている。
【００３３】
案内穴４２、５２は、ドライバー６を差し込んだときのガイドの機能を果たしているため、案内穴４２と案内穴５２は位置ずれが発生しないように構成されていることが望ましい。
【００３４】
本提案の構成にすることで段ボール包装材４が段ボール包装材５に対して正確に位置が決まるので、案内穴４２も案内穴５２に対して正確に位置を決めることが可能となり、機能的に優れた包装材を提供することが可能となる。
【符号の説明】
【００３５】
１  段ボール包装材、１１  差し込み爪部、１１ａ  爪部のスリット係合部、
２  段ボール包装材、２１  差し込み穴部、２１ａ  スリット、
２２  折部（Ｘ方向規制）、２２ａ  スリット、２２ｂ  折線（ミシン目）、
２３  折部（Ｙ方向規制）、２３ａ  スリット、２３ｂ  折線（ミシン目）、
３１  隙間（Ｘ方向）、３２  隙間（Ｙ方向）、４  利用例の段ボール包装材、
４１  利用例の差し込み爪部、４２  利用例の案内穴、
５  利用例の段ボール包装材、５１  利用例の差し込み穴部、
５２  利用例の案内穴、６  ドライバー
【図１】
2020055580.tif 000003
【図２】
2020055580.tif 000004
【図３】
2020055580.tif 000005
【図４】
2020055580.tif 000006
【図５】
2020055580.tif 000007
【図６】
2020055580.tif 000008